(57)【要約】【課題】録画した番組を再生して視聴しているときに、この番組についての次回以降の録画予約が簡単に行え、ユーザの操作性を向上させた録画装置を提供する。【解決手段】録画装置１は、記録媒体５に録画した番組毎に、その番組の録画開始時刻、録画終了時刻、録画チャンネル、および録画曜日を含む録画関連情報を記録する。録画装置１は、記録媒体５に録画されている番組の再生時に、録画予約にかかる入力があると、この再生している番組について記録されている録画関連情報を読み出し、この録画関連情報に基づいて、録画予約情報を生成する。そして、ここで生成した録画予約情報を録画予約情報記憶部７に記憶する。【選択図】図１
2008160331.tif 000002
【特許請求の範囲】
【請求項１】
選局されているチャンネルで放送されている番組のテレビ放送信号を受信する受信手段と、
前記受信手段で受信しているテレビ放送信号に基づいて、選局されているチャンネルで放送されている番組を記録媒体に録画する録画手段と、
記録媒体に録画されている番組を再生する再生手段と、を備えた録画装置において、
前記録画手段が録画した番組について、録画開始時刻、録画終了時刻、録画チャンネル、および録画曜日を含む録画関連情報を登録する録画関連情報登録手段と、
前記再生手段による番組の再生時に、特定の入力があれば、前記録画関連情報登録手段が再生中の番組について登録した前記録画関連情報に基づいて録画予約情報を生成する録画予約情報生成手段と、
前記録画予約情報生成手段が生成した録画予約情報を記憶する録画予約情報記憶手段と、を備え、
前記録画手段は、前記録画予約情報記憶手段に記憶されている録画予約情報に基づいて、番組を記録媒体に録画する録画予約機能を有する手段であり、
前記録画予約情報生成手段は、録画日の選択入力を受け付けるとともに、生成した録画予約情報について確定入力を受け付けるまで、この録画予約情報に対する修正を受け付ける修正受付機能を有する手段である、録画装置。
【請求項２】
選局されているチャンネルで放送されている番組のテレビ放送信号を受信する受信手段と、
前記受信手段で受信しているテレビ放送信号に基づいて、選局されているチャンネルで放送されている番組を記録媒体に録画する録画手段と、
記録媒体に録画されている番組を再生する再生手段と、を備えた録画装置において、
前記録画手段が録画した番組について、録画開始時刻、録画終了時刻、録画チャンネル、および録画曜日を含む録画関連情報を登録する録画関連情報登録手段と、
前記再生手段による番組の再生時に、特定の入力があれば、前記録画関連情報登録手段が再生中の番組について登録した前記録画関連情報に基づいて録画予約情報を生成する録画予約情報生成手段と、
前記録画予約情報生成手段が生成した録画予約情報を記憶する録画予約情報記憶手段と、を備え、
前記録画手段は、前記録画予約情報記憶手段に記憶されている録画予約情報に基づいて、番組を記録媒体に録画する録画予約機能を有する手段である、録画装置。
【請求項３】
前記録画予約情報生成手段は、録画日の選択入力を受け付け、前記録画予約情報を生成する手段である、請求項２に記載の録画装置。
【請求項４】
前記録画予約情報生成手段は、生成した録画予約情報について確定入力を受け付けるまで、この録画予約情報に対する修正を受け付ける修正受付機能を有する手段である、請求項２、または３に記載の録画装置。
【発明の詳細な説明】
【技術分野】
【０００１】
この発明は、地上波放送、衛星放送、ケーブル放送等のテレビ放送による番組を受信し、ＨＤ（ハードディスク）やＤＶＤ（ディジタルバーサタイルディスク）等の記録媒体に録画する録画装置に関する。
【背景技術】
【０００２】
従来、地上波放送、衛星放送、ケーブル放送等のテレビ放送による番組をＤＶＤやＨＤ（ハードディスク）等の記録媒体に録画する録画装置があった。一般的な録画装置には、周知の録画予約機能が設けられている。この録画予約機能は、予め設定されている録画予約情報に基づいて、テレビ放送による番組を録画する機能である。録画予約情報には、録画開始時刻、録画終了時刻、録画チャンネル、録画日等が含まれている。この録画日は、曜日で指定することもできれば、毎日や、平日（土日を除く毎日）で指定することもできる。
【０００３】
また、ユーザが、連続ドラマ等のシリーズものの番組を視聴しているときに、視聴している番組が自分の趣味嗜好にあった気に入った番組であり、この番組を次回以降も録画して視聴したいと思ったときに、その録画予約が簡単に行える録画装置が提案されている（特許文献１〜３等）。これらの録画装置は、ＥＰＧ（電子プログラムガイド）を利用して、ユーザが視聴している番組を特定し、その番組について次回以降の録画予約を行うものである。
【特許文献１】特開２００３−１４３５１７号公報
【特許文献２】特開２００６−１１５２２７号公報
【特許文献３】特開２００６−１１５２２８号公報
【発明の開示】
【発明が解決しようとする課題】
【０００４】
しかしながら、従来の録画装置では、連続ドラマ等のシリーズものの番組を録画し、この録画した番組を再生して視聴しているときに、この番組について、次回以降の録画予約を簡単に行わせるものではなかった。例えば、ユーザが、自分の趣味嗜好にあった番組であるかどうかを確認するために、とりあえずシリーズものの番組を録画し、この録画した番組を再生して視聴する。そして、自分の趣味嗜好にあった番組であることを確認したときに、この番組を次回以降も録画する場合、通常の場合と同様の操作で録画予約情報を設定しなければならなかった。
【０００５】
この発明の目的は、録画した番組を再生して視聴しているときに、この番組についての次回以降の録画予約が簡単に行え、ユーザの操作性を向上させた録画装置を提供することにある。
【課題を解決するための手段】
【０００６】
この発明の録画装置は、上記課題を解決するために、以下の構成を備えている。
【０００７】
（１）選局されているチャンネルで放送されている番組のテレビ放送信号を受信する受信手段と、
前記受信手段で受信しているテレビ放送信号に基づいて、選局されているチャンネルで放送されている番組を記録媒体に録画する録画手段と、
記録媒体に録画されている番組を再生する再生手段と、を備えた録画装置において、
前記録画手段が録画した番組について、録画開始時刻、録画終了時刻、録画チャンネル、および録画曜日を含む録画関連情報を登録する録画関連情報登録手段と、
前記再生手段による番組の再生時に、特定の入力があれば、前記録画関連情報登録手段が再生中の番組について登録した前記録画関連情報に基づいて録画予約情報を生成する録画予約情報生成手段と、
前記録画予約情報生成手段が生成した録画予約情報を記憶する録画予約情報記憶手段と、を備え、
前記録画手段は、前記録画予約情報記憶手段に記憶されている録画予約情報に基づいて、番組を記録媒体に録画する録画予約機能を有する手段である。
【０００８】
この構成では、録画関連情報登録手段が、録画手段により記録媒体に録画した番組について、録画開始時刻、録画終了時刻、録画チャンネル、および録画曜日を含む録画関連情報を登録する。記録媒体に録画されている番組の再生時に、特定の入力があると、録画予約情報生成手段が、この再生している番組について登録されている録画関連情報に基づいて録画予約情報を生成する。ここで生成された録画予約情報が録画予約情報記憶手段に記憶される。録画関連情報には、上述したように、録画開始時刻、録画終了時刻、録画チャンネル、および録画曜日が含まれているので、録画関連情報に基づいて、再生している番組について、次回以降の録画予約情報を生成することができる。したがって、ユーザは、記録媒体に録画している番組の再生時に、特定の入力にかかる入力操作を行うだけで、この再生している番組について次回以降の録画予約が行える。例えば、ユーザが、自分の趣味嗜好にあった番組であるかどうかを確認するために、とりあえずシリーズものの番組を録画し、この録画した番組を再生して視聴したときに、自分の趣味嗜好にあった番組であることを確認した場合に、簡単な操作で、この番組について次回以降の録画予約が行える。したがって、ユーザの操作性の向上が図れる。
【０００９】
（２）前記録画予約情報生成手段は、録画日の選択入力を受け付け、前記録画予約情報を生成する手段である。
【００１０】
この構成では、録画した番組が、毎週同じ曜日に放送される番組であっても、毎日放送される番組であっても、さらには平日（土日を除く毎日）に放送される番組であっても、適正な録画予約情報を生成し、録画予約情報記憶手段に記憶させることができる。
【００１１】
（３）前記録画予約情報生成手段は、生成した録画予約情報について確定入力を受け付けるまで、この録画予約情報に対する修正を受け付ける修正受付機能を有する手段である。
【００１２】
この構成では、確定入力を受け付けるまで、録画関連情報に基づいて生成した録画予約情報に対する守勢を受け付けるので、ユーザが生成された録画予約に対して、任意の項目に対する変更が行える。したがって、ユーザが録画したい番組に対して、一層適正な録画予約が行える。
【発明の効果】
【００１３】
この発明によれば、記録媒体に録画している番組の再生時に、この番組の次回以降の録画予約が簡単な操作で行える。したがって、ユーザの操作性を向上させることができる。
【発明を実施するための最良の形態】
【００１４】
以下、この発明の実施形態である録画装置について説明する。
【００１５】
図１は、この発明の実施形態である録画装置の主要部の構成を示す図である。この実施形態の録画装置１は、制御部２と、受信部３と、記録／再生部４と、記録媒体５と、出力部６と、録画予約情報記憶部７と、操作部８と、を備えている。この実施形態の録画装置１は、地上波放送、衛星放送、ケーブル放送等のテレビ放送による番組を受信し、この番組を記録媒体５に録画する。また、録画装置１は、記録媒体５に録画した番組を再生する。制御部２は、本体各部の動作を制御する。また、制御部２は、現在時刻を計時する時計機能や、年月日を管理するカレンダ機能を有している。受信部３には、各チャンネルで放送されているテレビ放送信号が入力される。受信部３は、所謂チューナであり、選局されているチャンネルで放送されているテレビ放送信号を抽出して出力する。記録／再生部４は、受信部３で抽出されたテレビ放送信号、すなわち選局されているチャンネルのテレビ放送信号、が入力される。記録／再生部４は、入力されているテレビ放送信号を処理し、このテレビ放送信号で放送されている番組を記録媒体５に録画する。記録／再生部４は、入力されているテレビ放送信号がアナログ信号であれば、ディジタル信号に変換する機能や、記録媒体５に録画する番組のデータをエンコードする機能を有している。また、記録媒体５に録画されている番組のデータを読み出し、デコードする機能を有している。この実施形態では、記録媒体５は、本体に内蔵されている構成としているが、本体に対して装着自在の記録媒体であってもよい。記録媒体５は、例えばＨＤ（ハードディスク）や、ＤＶＤ（ディジタルバーサタイルディスク）である。ここでは、記録媒体５は、ＨＤであるとして説明する。
【００１６】
なお、図１に特に示していないが、録画装置１は、記録媒体５に対するデータの記録や、記録媒体５に記録されているデータの読取を実行するためのドライブ（ハードディスクドライブ）回路を有している。
【００１７】
出力部６は、記録／再生部４が記録媒体５から読み出した番組のデータに基づく映像信号、および音声信号を生成し、出力する。この映像信号は、出力部６に接続されている表示装置１１に入力される。表示装置１１は、入力されている映像信号に基づいて番組の映像を表示する。また、出力部６から出力されている音声信号は、スピーカ１２に入力される。スピーカ１２は、入力されている音声信号に基づいて番組の音声を送出する。録画予約情報記憶部７は、録画予約情報を記憶する。この録画予約情報には、周知のように録画開始時刻、録画終了時刻、録画チャンネル、および録画日等の情報が含まれている。録画日は、曜日で指定される場合もあれば、毎日や、平日（土日を除く毎日）で指定される場合もある。操作部８は、本体に設けられている複数の操作キーや、図示していないリモコンから送信されてきた制御コードを受信するリモコン受信部を有している。
【００１８】
この実施形態の録画装置１は、録画予約情報記憶部７に記憶している録画予約情報に基づいて、番組を記録媒体５に録画する録画予約機能を有している。この録画予約機能については、公知であるので、詳細な説明については説明を省略する。また、この実施形態の録画装置１は、記録媒体５に録画した番組について、その番組の録画開始時刻、録画終了時刻、録画チャンネル、録画曜日を含む録画関連情報を生成し、ここで生成した録画関連情報をこの録画した番組に対応づけて登録する。記録媒体５には、番組のデータを記録する番組録画エリアとは別に、この録画関連情報を登録して記録する録画関連情報記録エリアが設けられている。
【００１９】
なお、この録画関連情報記録エリアは、記録媒体５ではなく、本体に設けたメモリで越す栄してもよい。また、記録媒体５がＤＶＤ等の本体に対して装着自在のものであれば、本体に設けたメモリに記憶させる構成とするよりも、この記録媒体５に設けるのが好ましい。その理由は、記録媒体５毎に、その記録媒体５に録画されている番組と、その番組についての録画関連情報とを対応づけて管理することができるからである。
【００２０】
以下、この発明の実施形態である録画装置１の動作について説明する。図２は、この実施形態の録画装置における録画処理を示すフローチャートである。録画装置１は、本体に対して録画開始にかかる入力が行われたとき、または録画予約情報記憶部７に記憶しているいずれかの録画予約情報における録画開始時刻になったときに、この録画処理を開始する。録画装置１は、受信部３が選局しているチャンネルのテレビ放送信号を抽出し、記録／再生部５が受信部３で抽出されたテレビ放送信号に基づく番組の録画データを生成し、この録画データを記録媒体５に記録する録画を開始する（ｓ１）。録画装置１は、記録／再生部４において、入力されているテレビ放送信号がアナログ信号であれば、ディジタル信号に変換し、また記録媒体５に録画する番組のデータをエンコードして、番組を記録媒体５に録画する。また、録画装置１は、今回の番組の録画にかかる録画開始時刻、および録画チャンネル、録画曜日（録画関連情報の一部）を制御部２に設けられているメモリ（不図示）に一時的に記憶する（ｓ２）。録画装置１は、録画終了タイミングになるまで、ｓ１で開始した番組の録画を継続する（ｓ３）。録画終了タイミングは、本体に対して録画停止にかかる入力が行われたとき、または録画処理を開始した録画予約情報における録画終了時刻になったときである。録画装置１は、録画終了タイミングになると、ｓ１で開始した番組の録画を停止する（ｓ４）。また、今回の録画終了時刻を取得し、ｓ２でメモリに一時的に記憶した情報とを用いて録画関連情報を生成する（ｓ５）。ｓ４で生成する録画関連情報には、今回の番組の録画にかかる録画開始時刻、録画終了時刻、録画チャンネル、録画曜日が含まれている。録画装置１は、ｓ４で作成した録画関連情報を、今回録画した番組に対応づけて記憶媒体５の録画関連情報記憶エリアに記録し（ｓ６）、本処理を終了する。
【００２１】
このように、この実施形態の録画装置１は、番組を記録媒体５に録画したときに、その番組の録画にかかる録画関連情報を生成するとともに、この録画関連情報を録画した番組に対応づけて記録媒体５に記録する。また、上述の説明から明らかなように、録画関連情報は、録画予約情報に必要な情報が含まれている。ｓ５で生成される録画関連情報は、録画日が曜日である。
【００２２】
次に、この発明の実施形態である録画装置１における再生処理について説明する。図３は、この実施形態の録画装置における再生処理を示すフローチャートである。録画装置１は、本体に対して記録媒体５に録画している、いずれかの番組について再生開始にかかる入力があると、この処理を開始する。録画装置１は、再生が指示された番組の再生を開始する（ｓ１１）。ｓ１１では、記録／再生部４が記録媒体５に記録されている番組（今回再生が指示された番組）の録画データを読み出し、読み出した録画データをデコードして出力する。出力部６は、記録／再生部４がデコードしたデータを映像データと音声データに分離するとともに、分離した映像データに基づく映像信号、および音声データに基づく音声信号を生成し、出力する。映像信号は、表示装置１１に入力され、音声信号はスピーカ１２に入力される。表示装置１１では、入力されている映像信号に基づく映像の表示が行われ、スピーカ１２では、入力されている音声信号に基づく音声の送出が行われる。
【００２３】
録画装置１は、再生終了タイミングになるか、または再生中の番組についての録画予約にかかる入力があるのを待つ（ｓ１２、ｓ１３）。この再生中の番組についての録画予約にかかる入力が、この発明で言う特定の入力である。録画装置１は、再生している番組の再生が完了したとき、または再生停止にかかる入力操作があったときに、再生終了タイミングになったと判定する。また、再生中の番組についての録画予約にかかる入力は、操作部８や、図示していないリモコンに設けられている、予め定められた特定のキー操作（ワンタッチ操作）により行える。録画装置１は、ｓ１２で再生終了タイミングになったと判定すると、ｓ１１で開始した再生を停止し（ｓ１４）、本処理を終了する。また、再生中の番組についての録画予約にかかる入力があると、再生中の番組について記録媒体５に記録されている録画関連情報を読み出す（ｓ１５）。録画装置１は、ここで読み出した録画関連情報に基づいて、録画予約情報を生成する（ｓ１６）。ｓ１６では、再生中の番組の録画開始時刻、録画終了時刻、録画チャンネル、および録画曜日からなる録画予約情報を生成する。録画装置１は、ｓ１６で生成した録画予約情報を録画予約情報記憶部７に記憶し（ｓ１７）、ｓ１２に戻る。
【００２４】
このように、この実施形態の録画装置１では、再生している番組についての録画予約が簡単に行える。このため、連続ドラマ等のシリーズものの番組をためしに録画し、この録画した番組を再生して視聴しているときに、自分の趣味嗜好にあった番組であり、次回以降も録画して視聴したいと感じたときに、簡単な操作でこの番組の録画予約が行える。したがって、ユーザの操作性の向上が図れる。
【００２５】
なお、ｓ１５〜ｓ１７にかかる処理は、その時点で再生している番組の映像や音声等が途切れるような事態が生じないタイミングで行われる。また、１３で再生中の番組についての録画予約にかかる入力があったと判定したときに、そのことを記憶しておき、ｓ１４で番組の再生にかかる処理を停止した後に、ｓ１５〜ｓ１７にかかる処理を実行するようにしてもよい。
【００２６】
また、上記実施形態では、再生中の番組についての録画予約にかかる入力があると、その番組に対応づけられている録画関連情報のみで、録画予約情報を生成し、録画予約情報記憶部７に記憶させるとしたが、以下に示すようにしてもよい。
【００２７】
録画日は、上述したように、曜日で指定することもできれば、毎日や、平日（土日を除く毎日）で指定することもできる。これは、録画予約が、その番組の放送形態に応じて行えるようにするためである。すなわち、録画予約が、特定の曜日に放送される番組を録画する場合、毎日放送される番組を録画する場合、平日に放送される番組を録画する場合に、応じて行えるようにしている。したがって、録画関連情報のみで作成された録画予約情報では、特定の曜日に放送される番組を録画する場合、毎日放送される番組を録画する場合に不都合が生じる。そこで、図４に示すように、録画日についての選択入力を受け付けるステップ（ｓ２１）を、上述したｓ１６、ｓ１７との間に挿入し、ｓ２１における録画日の選択入力に応じてｓ１６で生成した録画予約情報を修正し（ｓ２２）、これをｓ１７で録画予約情報として録画予約情報記憶部７に記憶する。ｓ２１では、曜日、毎日、または平日のいずれかの選択を受け付ける。
【００２８】
これにより、ユーザは毎日放送されている番組や、平日のみ毎日放送されている番組等の録画予約についても、適正に簡単な操作で行える。また、この場合には、録画関連情報として曜日を記憶しない構成としてもよいし、ｓ２１で選択を受け付けるときに録画関連情報の曜日をデフォルトとする構成としてもよい。
【００２９】
さらに、録画開始時刻や、録画終了時刻等についても、修正を受け付けるように構成してもよい。図５は、この場合における再生処理を示すフローチャートである。図４に示したｓ２２に後に、確定入力または録画予約情報の修正入力を待つステップを設ける（ｓ２３、ｓ２４）。ｓ２４では、修正する項目、録画開始時刻、録画終了時刻、録画チャンネル等の指定、および指定された項目に対する変更を受け付ける。録画装置１は、修正入力を受け付けると、ｓ２２に戻って、今回受け付けた修正入力に基づいて、録画予約情報を修正する。また、ｓ２３で確定入力を受け付けると、ｓ１７でその時点で生成されている録画予約情報を、録画予約情報記憶部７に記憶する。
【００３０】
これにより、ユーザは、記録媒体５に録画した番組を視聴しているときに、別の番組にかかる録画予約情報を録画予約情報記憶部７に記憶させることができる。また、このときには、そのときに再生している番組の録画関連情報を修正するという簡単な操作であることから、再生している番組とは別の番組についての録画予約が簡単に行える。また、この場合には、周知のワンタッチ録画キーを操作して、その番組の開始時刻以降に録画を開始した番組を再生しているときであれば、次回以降の録画予約が、番組の開始時刻に簡単に修正できる。
【００３１】
なお、再生している番組について録画予約を行うときには、録画関連情報に基づいて作成された録画予約情報に対する修正操作を行うことなく、確定操作を行えばよいので、再生している番組についての録画予約にかかる操作が煩雑になることもない。
【図面の簡単な説明】
【００３２】
【図１】この発明の実施形態である録画装置の主要部の構成を示す図である。
【図２】この実施形態の録画装置における録画処理を示すフローチャートである。
【図３】この実施形態の録画装置における再生処理を示すフローチャートである。
【図４】別の実施形態の録画装置における再生処理を示すフローチャートである。
【図５】別の実施形態の録画装置における再生処理を示すフローチャートである。
【符号の説明】
【００３３】
１−録画装置
２−制御部
３−受信部
４−記録／再生部
５−記録媒体
６−出力部
７−録画予約情報記憶部
８−操作部
【図１】
2008160331.tif 000003
【図２】
2008160331.tif 000004
【図３】
2008160331.tif 000005
【図４】
2008160331.tif 000006
【図５】
2008160331.tif 000007